(57)【特許請求の範囲】
【請求項１】
移動局と、第一の交換局を含む第一の通信網と、第二の交換局を含む第二の通信網とを有する移動通信システムであって、
前記第一及び第二の通信網のうち、前記第一の通信網のみからページングを送信する場合、
前記第二の交換局は、音声着信を受けると、前記第一の通信網へ端末の呼び出しに関する所定のメッセージを送信し、
前記第一の通信網の無線基地局は、前記第一の交換局が前記所定のメッセージを受信した場合、前記ページングを前記移動局に送信し、
前記移動局は、前記ページングを受信したとき、前記第二の交換局に対して無線回線の確立に関するメッセージを送信し、前記第二の交換局との間の無線回線を確立し、
前記第一の通信網の通信方式と前記第二の通信網の通信方式はそれぞれ異なる、移動通信システム。
【請求項２】
前記第二の通信網の通信方式はＷ−ＣＤＭＡである、請求項１に記載の移動通信シスム。
【請求項３】
前記移動局は、前記第一の通信網に対して位置登録処理を行なう、請求項１または２に記載の移動通信システム。
【請求項４】
移動局と、第一の交換局を含む第一の通信網と、第二の交換局を含む第二の通信網と、を有する移動通信システムにおける通信制御方法であって、
前記第一及び第二の通信網のうち、前記第一の通信網のみからページングを送信する場合、
音声着信を受けた前記第二の交換局が、前記第一の通信網へ端末の呼び出しに関する所定のメッセージを送信する工程と、
前記第一の交換局が、前記所定のメッセージを受信すると、前記第一の通信網の無線基地局が前記ページングを前記移動局に送信する工程と、
前記移動局が、前記ページングを受信したとき、前記第二の交換局に対して無線回線の確立に関するメッセージを送信し、前記第二の交換局との間の無線回線を確立する工程と、を有し、
前記第一の通信網の通信方式と前記第二の通信網の通信方式はそれぞれ異なる、通信制御方法。
【請求項５】
前記第二の通信網の通信方式は、Ｗ−ＣＤＭＡである、請求項４に記載の通信制御方法。
【請求項６】
前記移動局は、前記第一の通信網に対して位置登録処理を行なう、請求項４または５に記載の通信制御方法。
【請求項７】
第一の交換局を含む第一の通信網と、第二の交換局を含む第二の通信網と、を有する移動通信システムにおける移動局であって、
前記第一及び第二の通信網のうち、前記第一の通信網のみからページングを送信する場合
前記第一の交換局が、音声着信を受けた前記第二の交換局から、端末の呼び出しに関する所定のメッセージを受信した場合、前記第一の通信網の無線基地局から送信される、前記ページングを受信する受信手段と、
前記ページングを受信したとき、前記第二の交換局に対して無線回線の確立に関するメッセージを送信し、前記第二の交換局との間の無線回線を確立する手段と、を有し、
前記第一の通信網の通信方式と前記第二の通信網の通信方式はそれぞれ異なる、移動局。
【請求項８】
前記第二の通信網の通信方式は、Ｗ−ＣＤＭＡである、請求項７に記載の移動局。
【請求項９】
前記移動局は、前記第一の通信網に対して位置登録処理を行なう、請求項７または８に記載の移動局。
【請求項１０】
第一の通信網と、第二の通信網とを有する移動通信システムにおける、前記第一の通信網の交換局であって、
前記第一及び第二の通信網のうち、前記第一の通信網のみからページングを送信する場合、音声着信を受信した前記第二の通信網の交換局から端末の呼び出しに関する所定のメッセージを受信する手段を有し、
前記手段が前記所定のメッセージを受信すると、第一の通信網から前記ページングが送信され、
前記第一の通信網の通信方式と前記第二の通信網の通信方式はそれぞれ異なる、交換局。
【請求項１１】
前記第二の通信網の通信方式は、Ｗ−ＣＤＭＡである、請求項１０に記載の交換局。
【発明の詳細な説明】
【技術分野】
【０００１】
本発明は移動通信システム及びその通信制御方法並びにそれに用いる移動局、交換局に関し、特に複数種類の無線通信方式に接続可能な移動局を含む移動通信システムの改良に関するものである。
【背景技術】
【０００２】
近年、携帯電話に代表される移動通信システムにおいては、その利便性により大幅に利用者が増加しており、移動通信システムに使用される通信方式についても、各種の方式が提案され実用化されている。この場合、携帯通信端末である移動局として、１台の移動局で複数種類の通信方式に対応可能な、いわゆるデュアルモードの移動局があり、特許文献１〜４に開示されている。
【先行技術文献】
【特許文献】
【０００３】
【特許文献１】特開平１１−２０５２１７号公報
【特許文献２】特開２００４−０３２３３７号公報
【特許文献３】特開２００４−２９７４５９号公報
【特許文献４】特開２００４−２９７４９０号公報
【発明の概要】
【発明が解決しようとする課題】
【０００４】
かかるデュアルモード移動局を用いた従来の移動通信システムにおいては、複数の無線方式を待受け状態とするためには、それぞれの無線方式毎に位置登録を実施し、ページングメッセージの間欠受信を行う必要がある。そのために、複数の無線方式を待受ける場合には、一つの無線方式を待受ける場合に比べて、大きな消費電力を必要とし、待受け時間が短いという欠点がある。
【０００５】
本発明の目的は、無線方式毎の位置登録やページング処理を統一化することにより、移動局の消費電力削減を可能とした移動通信システム及びその通信制御方法並びにそれに用いる移動局、交換局を提供することである。
【課題を解決するための手段】
【０００６】
本発明による移動通信システムは、
移動局と、第一の交換局を含む第一の通信網と、第二の交換局を含む第二の通信網とを有する移動通信システムであって、
前記第一及び第二の通信網のうち、前記第一の通信網のみからページングを送信する場合、
前記第二の交換局は、音声着信を受けると、前記第一の通信網へ端末の呼び出しに関する所定のメッセージを送信し、
前記第一の通信網の無線基地局は、前記第一の交換局が前記所定のメッセージを受信した場合、前記ページングを前記移動局に送信し、
前記移動局は、前記ページングを受信したとき、前記第二の交換局に対して無線回線の確立に関するメッセージを送信し、前記第二の交換局との間の無線回線を確立し、
前記第一の通信網の通信方式と前記第二の通信網の通信方式はそれぞれ異なる、移動通信システムである。
【０００７】
本発明による通信制御方法は、
移動局と、第一の交換局を含む第一の通信網と、第二の交換局を含む第二の通信網と、を有する移動通信システムにおける通信制御方法であって、
前記第一及び第二の通信網のうち、前記第一の通信網のみからページングを送信する場合、
音声着信を受けた前記第二の交換局が、前記第一の通信網へ端末の呼び出しに関する所定のメッセージを送信する工程と、
前記第一の交換局が、前記所定のメッセージを受信すると、前記第一の通信網の無線基地局が前記ページングを前記移動局に送信する工程と、
前記移動局が、前記ページングを受信したとき、前記第二の交換局に対して無線回線の確立に関するメッセージを送信し、前記第二の交換局との間の無線回線を確立する工程と、を有し、
前記第一の通信網の通信方式と前記第二の通信網の通信方式はそれぞれ異なる、通信制御方法である。
【０００８】
本発明による移動局は、
第一の交換局を含む第一の通信網と、第二の交換局を含む第二の通信網と、を有する移動通信システムにおける移動局であって、
前記第一及び第二の通信網のうち、前記第一の通信網のみからページングを送信する場合
前記第一の交換局が、音声着信を受けた前記第二の交換局から、端末の呼び出しに関する所定のメッセージを受信した場合、前記第一の通信網の無線基地局から送信される、前記ページングを受信する受信手段と、
前記ページングを受信したとき、前記第二の交換局に対して無線回線の確立に関するメッセージを送信し、前記第二の交換局との間の無線回線を確立する手段と、を有し、
前記第一の通信網の通信方式と前記第二の通信網の通信方式はそれぞれ異なる、移動局である。
【０００９】
本発明による交換局は、
第一の通信網と、第二の通信網とを有する移動通信システムにおける、前記第一の通信網の交換局であって、
前記第一及び第二の通信網のうち、前記第一の通信網のみからページングを送信する場合、音声着信を受信した前記第二の通信網の交換局から端末の呼び出しに関する所定のメッセージを受信する手段を有し、
前記手段が前記所定のメッセージを受信すると、前記第一の通信網から前記ページングが送信され、
前記第一の通信網の通信方式と前記第二の通信網の通信方式はそれぞれ異なる、交換局
である。
【発明の効果】
【００１１】
本発明によれば、以下のような効果を奏する。第１の効果は、２種類以上の無線方式に接続可能な移動局において、移動通信システムで通常実行されている位置登録処理と一斉呼び出し( ページング：ｐａｇｉｎｇ）受信処理を、どちらか一方の無線方式に対してのみ実行しているので、移動局の省電力化を実現できることである。
【００１２】
第２の効果は、２種類以上の無線方式に接続可能な移動局にてページングを受信したとき、より安価な無線方式を選択して無線回線の接続要求や認証処理や音声・データ等のＵ−ｐｌａｎｅ導通を行っているので、発信者にとって最も安価な通信方式を使用できることである。
【００１３】
第３の効果は、ある無線方式のネットワークが移動通信システムで通常実行されている位置登録処理と一斉呼び出し処理を別の無線方式網に委託しているので、其の無線方式で移動通信ネットワーク構築の際に位置登録処理と一斉呼び出し処理を盛り込まずに安価な設備でネットワークを構築できることである。
【図面の簡単な説明】
【００１４】
【図１】本発明の一実施の形態が適用されるシステムの一例を示す図である。
【図２】図１において、他網１２１から発信された呼が通信網１１１の無線回線を使用して移動局１００と接続される動作を示すシーケンス図である。
【図３】図１において、移動局１００が通信網１１１のエリア内にいないため、他網１２１から発信された呼が、通信網１０１の無線回線を使用して移動局１００と接続される動作を示すシーケンス図である。
【図４】図１において、通信網１１１からから発信された呼が、通信網１１１の無線回線を使用して移動局１００と接続される動作を示すシーケンス図である。
【図５】図１において、通信網１０１から発信された呼が、通信網１１１の無線回線を使用して移動局１００と接続される動作を示すシーケンス図である。
【図６】本発明の他の実施の形態が適用されるシステムの一例を示す図である。
【図７】図６において、他網１２１から発信された呼が他の無線方式網１１１の無線回線を使用して移動局１００と接続される動作を示すシーケンス図である。
【図８】通信網１０１と１１１のサービスエリアの関係を示す図である。
【発明を実施するための形態】
【００１５】
以下に、図面を参照して本発明の実施の形態について詳細に説明する。図１は本発明の実施の形態のシステムブロック図である。図１において、１０１はデュアルモードの移動局であり、通信網１０１，１１１は異種の通信方式の通信網であり、通信網１００は移動制御である位置登録やページング処理を行う機能を有するネットワークであれば良く、現状の移動通信システムであるＷ−ＣＤＭＡ、ｃｄｍａ２０００、ｃｄｍａＯｎｅ、ＧＳＭ（登録商標）、ＡＭＰＳ、ＰＤＣ、ＰＨＳ等が考えられる。
【００１６】
通信網１１１は無線制御機能を有するネットワークであれば良く、現状のＷ−ＬＡＮ、コードレス電話等や、移動通信システムであるＷ−ＣＤＭＡ、ｃｄｍａ２０００、ｃｄｍａＯｎｅ、ＧＳＭ（登録商標）、ＰＤＣ、ＰＨＳ等が考えられる。また、通信網１０１，１１１は、いずれも次世代で考えられる新無線方式であっても良い。
【００１７】
通信網１０１は、無線基地局１０２と、交換局１０３と、加入者情報蓄積装置１０４と、ゲートウェイ（ＧＷ）１０５とを有している。また、通信網１１１は、無線基地局１１２と、交換局１１３と、加入者情報蓄積装置１１４と、ゲートウェイ（ＧＷ）１１５とを有している。ゲートウェイ１０５，１１５を介して、通信網１０１と１１１とが接続されている他、他通信網（他網）１２１にも接続されているものとする。
【００１８】
デュアルモード状態の移動局１００は、通信網１０１に対して位置登録処理を実施するが、通信網１１１に対しては位置登録処理を実施しない。更に、移動局１００は通信網１０１からのページングを待受ける状態となり、通信網１１１からのページングは待受け状態としない。移動局１００は、通信網１０１からのページングを受信後、通信網１１１へ無線回線接続を要求し認証処理後、ユーザデータ（音声やデータ）の送受信を行う。しかしながら、移動局１００は通信網１１１の圏外であった場合、通信網１０１へ無線回線接続を要求し認証処理後、音声やデータの送受信を行う。
【００１９】
通信網１０１は予め実施されている位置登録の内容に基づいて、通信網１１１からの呼び出し要求に応じて、移動局１００に対してページング送信を行う。通信網１１１は移動局１００から無線回線接続の要求があれば、無線回線を準備して認証処理後、ユーザデータの送受信を行う。通信網１１１としては、ページング送信はしないが、ページング以外の処理は現行の処理と同等である。
【００２０】
移動局１００はデュアルモード時に通信網１１１への位置登録処理とページング待ち状態としないことで、待受け時の消費電力を削減しつつ、通信網１１１を使用した着信通信を実現している。ページング信号を待受けるだけで、複数の通信網からの着信を受付けることを可能とすることにより、移動局１００は、デュアルモード時においても、シングルモードと同様の消費電力で待受け状態を維持することができることになる。
【００２１】
以下に、図１を参照して本発明の実施の形態について詳細に説明する。図１において、移動局１００は通信網１０１に対して位置登録処理を行う機能と、通信網１０１からのページング信号を待受ける機能と、ページング受信後に最適な通信網を選択する機能と、選択した通信網１１１に対して、無線回線を張って認証処理等のネゴシエーションを実施し、ユーザデータを送受信する機能を有する。更に、移動局１００は、ページング受信後に選択した通信網の圏外であった場合、別の通信網に対して無線回線を張る機能を有する。
【００２２】
移動局１００は２つの通信網を使用できるデュアルモードを想定しているが、３つ４つ等２つ以上の通信網を使用することも可能であり、上記と同様に一つの通信網に対する位置登録処理の機能と、ページング信号待受け機能とを有することにより、複数の通信網に対する待受けを行うことが可能となる。
【００２３】
通信網１０１の交換局１０３は、通信網１１１から送信される端末呼び出しメッセージを受信すると、移動局の位置登録エリアを加入者情報蓄積装置１０４へ問い合わせる機能と、確認した位置登録エリアの無線基地局１０２へページングを送信する要求を行う機能と、ページング送信要求した旨を通信網１１１へ報告する機能とを有する。
【００２４】
更に、交換局１０３はページング送信要求後、無線回線接続要求メッセージを受信した場合、其のメッセージを受信した旨を通信網１１１へ報告する機能と、発信先の通信網から送信される回線接続要求を受け付けて応答する機能と、移動局１００間との無線回線を準備し認証処理を行う機能と、End to End（エンドトゥエンド）のシグナリングメッセージとユーザデータの伝送を行う機能を有する。但し、本交換局１０３の機能は通信網１０１内の他のノードにあっても良いし、機能を分離して複数ノードとしても良い。
【００２５】
通信網１１１の交換局１１３は、他網１２１からの端末呼び出しメッセージを受信すると、加入者情報蓄積装置１１４へ該当端末の呼び出し先の通信網を問い合わせる機能と、確認した通信網１０１へ端末呼び出しメッセージを送信する機能と、無線回線接続要求メッセージを受信した場合、移動局１００との間の無線回線を準備し認証処理を行う機能と、End to Endのシグナリングメッセージとユーザデータの伝送を行う機能とを有する。
【００２６】
更に、交換局１１３は、通信網１０１から無線回線接続要求の受信通知を受けた場合、発信先の通信網へ接続先ゲートウェイの変更を依頼する機能とを有する。但し、本交換局１１３の機能は通信網１１１内の他のノードにあっても良いし、機能を分離して複数ノードとしても良い。
【００２７】
なお、無線基地局１０２及び１１２と、加入者情報蓄積装置１０４及び１１４と、ゲートウェイ１０５及び１１５とは、当業者にとってよく知られており、また本発明とは直接関係しないので、その詳細な説明は省略する。
【００２８】
次に、本発明の実施の形態の動作について、他網１２１から発信された呼が通信網１１１の無線回線を使用して移動局１００と接続される動作を、図２のシーケンス図を使用して説明する。
【００２９】
図２において、他網１２１は発信時の回線準備と認証処理（ステップＳ１００）が完了後、通信網１１１へ端末呼び出しメッセージを送信する（ステップＳ１０１）。通信網１１１では、呼び出し対象の加入者情報から端末へのページング処理の依頼先を通信網１０１であることを確認し（ステップＳ１０２）、通信網１０１へ端末呼び出しメッセージを送信する（ステップＳ１０３）。通信網１０１では、呼び出し対象の移動局の位置登録エリアを確認後（ステップＳ１０４）、対象エリアの移動局１００へページングメッセージを送信する（ステップＳ１０５）と同時に、通信網１１１へ端末呼び出しを実行した旨を通知（ステップＳ１０６）し、通信網１０１は処理を終了する（ステップＳ１０７）。
【００３０】
移動局１００はページングメッセージを受信後、通信網１０１よりも通信料金が安い通信網１１１に対して無線回線接続要求を行う（ステップＳ１０８）。この場合、移動局１００では、予めどちらの通信網の通信料金が安いかを示す情報をメモリなどに記憶しておくものとする。
【００３１】
通信網１１１からの応答後（ステップＳ１０９）、移動局１００と通信網１１１間で無線回線の準備と認証処理を行う（ステップＳ１１０）。その後、移動局１００から発信先である他網１２１に対して呼び出し中である旨を通知し（ステップＳ１１１）、発信端末にて呼び出し音を確認する（ステップＳ１１３）。移動局１００にてオフフック（ステップＳ１１２）後、回線接続メッセージを送信し（ステップＳ１１４）、回線接続応答後（ステップＳ１１５）、移動局１００と発信端末間でEnd to Endの接続が確立され、ユーザデータの導通が行われる（ステップＳ１１６）。
【００３２】
次に、移動局１００が通信網１１１のエリア内にいないため、他網１２１から発信された呼が、通信網１０１の無線回線を使用して移動局１００と接続される動作を、図３のシーケンス図を使用して説明する。
【００３３】
図３において、他網１２１は発信時の回線準備と認証処理（ステップＳ２００）が完了後、通信網１１１へ端末呼び出しメッセージを送信する（ステップＳ２０１）。通信網１１１では、呼び出し対象の加入者情報から端末へのページング処理の依頼先を通信網１０１であることを確認し（ステップＳ２０２）、通信網１０１へ端末呼び出しメッセージを送信する（ステップＳ２０３）。通信網１０１では、呼び出し対象の移動局の位置登録エリアを確認（ステップＳ２０４）後、対象エリアの移動局１００へページングメッセージを送信する（ステップＳ２０５）と同時に、通信網１１１へ端末呼び出しを実行した旨を通知する（ステップＳ２０６）。
【００３４】
ここまでは、図２の動作と同様だが、移動局１００はページングメッセージ受信後、通信網１１１へ無線回線接続要求メッセージを送信するが、移動局１００は通信網１１１のエリア内にはいないので、応答が無く再送を繰り返す（ステップＳ２０７）。移動局１００は規定回数分を再送後、通信網１１１との接続は断念し、通信網１０１に対して無線回線接続要求を行い（ステップＳ２０８）、通信網１０１からの応答（ステップＳ２１０）後、移動局１００と通信網１０１間で無線回線の準備と認証処理を行う（ステップＳ２１４）。
【００３５】
一方、通信網１０１は無線回線接続要求メッセージを受信した旨を通信網１１１へ通知し（ステップＳ２０９）、通信網１１１は他網１２１に対して接続先ゲートウェイの変更要求を行い（ステップＳ２１１）、他網１２１は接続先ゲートウェイ変更要求応答（ステップＳ２１２）後、通信網１０１へ回線接続要求を行い（ステップＳ２１５）、回線接続要求応答を受ける（ステップＳ２１６）ことにより、接続先の変更を行う。
【００３６】
ステップＳ２１４とＳ２１５，Ｓ２１６の処理の間に順序性は無く、Ｓ２１４とＳ２１６が完了後、移動局１００から発信先である他網１２１に対して呼び出し中である旨を通知し（ステップＳ２１７）、発信端末にて呼び出し音を確認する（ステップＳ２１８）。移動局１００にてオフフック（ステップＳ２１９）後、回線接続メッセージを送信し（ステップＳ２２０）、回線接続応答（ステップＳ２２１）後、移動局１００と発信端末間でEnd to Endの接続が確立され、ユーザデータの導通が行われる（ステップＳ２２２）。
【００３７】
なお、通信網１０１と他網１２１間の回線接続処理（ステップＳ２１５，Ｓ２１６）が完了する前に、呼び出し通知メッセージ（ステップＳ２１７）が移動局１００から送信された場合、通信網１０１にて呼び出し通知メッセージを転送せずに保存しておき、回線接続処理（ステップＳ２１５，Ｓ２１６）が完了後、呼び出し通知メッセージを転送する。
【００３８】
次に、通信網１１１から発信された呼が、通信網１１１の無線回線を使用して移動局１００と接続される動作を、図４のシーケンス図を使用して説明する。図４において、通信網１１１にて発信時の回線準備と認証処理（ステップＳ３００）後、着信側の加入者情報からデュアル端末か否かの確認（ステップＳ３０１）と、ページング処理の依頼先を通信網１０１であることを確認し（ステップＳ３０２）、通信網１０１へ端末呼び出しメッセージを送信する（ステップＳ３０３）。
【００３９】
通信網１０１では、呼び出し対象の移動局の位置登録エリアを確認（ステップＳ３０４）後、対象エリアの移動局１００へページングメッセージを送信する（ステップＳ３０５）と同時に、通信網１１１へ端末呼び出しを実行した旨を通知し（ステップＳ３０６）、通信網１０１は処理を終了する（ステップＳ３０７）。
【００４０】
移動局１００はページングメッセージを受信後、通信網１０１よりも通信料金が安い通信網１１１に対して無線回線接続要求を行い（ステップＳ３０８）、通信網１１１からの応答（ステップＳ３０９）後、移動局１００と通信網１１１間で無線回線の準備と認証処理を行う（ステップＳ１１０）。その後、移動局１００から発信先である通信網１１１に対して呼び出し中である旨を通知し（ステップＳ３１１）、発信端末にて呼び出し音を確認する（ステップＳ３１３）。
【００４１】
移動局１００にてオフフック（ステップＳ３１２）後、回線接続メッセージを送信し（ステップＳ３１４）、回線接続応答（ステップＳ３１５）後、移動局１００と発信端末間でEnd to Endの接続が確立され、ユーザデータの導通が行われる（ステップＳ３１６）。
【００４２】
なお、デュアル端末か否かの確認処理（ステップＳ３０１）で、デュアル端末でないと確認された場合は、通信網１１１の加入者ではないので、該当する通信網へ端末呼び出しを行った後、着信移動局１００からの無線回線接続要求（ステップＳ３０８）を待受ける必要が無くなり、通常の着信処理となる。
【００４３】
次に、通信網１０１から発信された呼が、通信網１１１の無線回線を使用して移動局１００と接続される動作を、図５のシーケンス図を使用して説明する。図５において、通信網１０１にて発信時の回線準備と認証処理（ステップＳ４００）後、着信側の加入者情報からデュアル端末か否かの確認を行い（ステップＳ４０１）、デュアル端末であれば通信網１１１へ端末呼び出しを行う（ステップＳ４０２）。なお、デュアル端末か否かの確認（ステップＳ４０１）で、デュアル端末でなければ、通信網１０１による通常の着信処理を行う。
【００４４】
端末呼び出しを受けた通信網１１１は、加入者情報からページング処理の依頼先を通信網１０１であることを確認し（ステップＳ４０３）、通信網１０１へ端末呼び出しメッセージを送信する（ステップＳ４０４）。通信網１０１では、呼び出し対象の移動局の位置登録エリアを確認（ステップＳ４０５）後、対象エリアの移動局１００へページングメッセージを送信する（ステップＳ４０６）と同時に、通信網１１１へ端末呼び出しを実行した旨を通知する（ステップＳ４０７）。
【００４５】
移動局１００はページングメッセージを受信後、通信網１０１よりも通信料金が安い通信網１１１に対して無線回線接続要求を行い（ステップＳ４０８）、通信網１１１からの応答（ステップＳ４０９）後、移動局１００と通信網１１１間で無線回線の準備と認証処理を行う（ステップＳ４１０）。その後、移動局１００から発信先である通信網１０１に対して呼び出し中である旨を通知し（ステップＳ４１１）、発信端末にて呼び出し音を確認する（ステップＳ４１３）。
【００４６】
移動局１００にてオフフック（ステップＳ４１２）後、回線接続メッセージを送信し（ステップＳ４１４）、回線接続応答（ステップＳ４１５）後、移動局１００と発信端末間でEnd to Endの接続が確立され、ユーザデータの導通が行われる（ステップＳ４１６）。
【００４７】
ここで、端末呼び出し処理がステップＳ４０２とＳ４０４で往復しており、一見不要に思われるが、通信網１１１に対してどこの通信網へ呼び出し処理を依頼するかを確認する必要があるので、本シーケンスの往復処理が必要となる。
【００４８】
本発明の他の実施の形態として、その基本的な構成は上記の通りであるが、構成について更に工夫したものを図６に示す。図６において、図１と同等部分は同一符号により示している。図６を参照すると、他の無線方式網１１１内の無線基地局１１２が交換局１０３に直結し、他のノードを省くことで簡素化している。前述の図１の通信網１０１と通信網１１１とは別の事業者を想定しているが、図６の通信網１０１と他の無線方式網１１１とは同一の事業者内で複数の無線方式を使用する場合を想定している。なお、１１６は制御局であり、その機能は後述する。
【００４９】
図６の構成において、他網１２１から発信された呼が他の無線方式網１１１の無線回線を使用して移動局１００と接続される動作を、図７のシーケンス図を使用して説明する。
【００５０】
図７を参照すると、他網１２１は発信時の回線準備と認証処理（ステップＳ５００）が完了後、ゲートウェイ１０５を経由して交換局１０３へ端末呼び出しメッセージを送信する（ステップＳ５０１）。交換局１０３では、呼び出し対象の加入者情報からページング送信する無線方式と位置登録エリアの無線基地局を確認し（ステップＳ５０２）、無線基地局１０２へ端末呼び出しメッセージを送信する（ステップＳ５０３）。無線基地局１０２は移動局１００へページングメッセージを送信し（ステップＳ５０４）、処理を終了する（ステップＳ５０５）。
【００５１】
移動局１００はページングメッセージを受信後、無線基地局１０２よりも通信料金が安い無線基地局１１２を経由して交換局１０３に対して無線回線接続要求を行い（ステップＳ５０６）、交換局１０３からの応答（ステップＳ５０７）後、無線基地局１１２の無線方式を使用して移動局１００と交換局１０３間で無線回線の準備と認証処理を行う（ステップＳ５０８）。その後、移動局１００から発信先である他網１２１に対して呼び出し中である旨を通知し（ステップＳ５０９）、発信端末にて呼び出し音を確認する（ステップＳ５１１）。
【００５２】
移動局１００にてオフフック（ステップＳ５１０）後、回線接続メッセージを送信し（ステップＳ５１２）、回線接続応答（ステップＳ５１３）後、移動局１００と発信端末間でEnd to Endの接続が確立され、ユーザデータの導通が行われる（ステップＳ５１４）。
【００５３】
更に、図１で示した実施の形態では、図８（ａ）に示すように、通信網１０１のサービスエリア３００は通信網１１１のサービスエリア３０１，３０２を含むことを想定している。しかし、図８（ｂ）におけるエリア３００とエリア３０３の関係のように、エリア３００がエリア３０３を含まない場合を想定すると、エリア３０３にて着信を可能とするためには、エリア３０３内でも位置登録とページング待ち受けを行う必要がある。
【００５４】
そこで、図６に示す制御局１１６を追加して、この制御局１１６は無線基地局１１２の設置場所によって位置登録を実施してページング送信を実施するか否かの制御を、無線基地局１１２に対して行う機能を持つ。無線基地局１１２は制御局１１６からの指示に従って、位置登録実施の有無とページング受信の有無を移動局１００に対して通知する機能を有する。
【００５５】
このように本例では、通信網１０１のサービスエリア外でも、他の無線方式網１１１のサービスエリア内であれば、着信を受けることが可能になる。逆に、他の無線方式網１１１のサービスエリア内であっても、図書館や喫茶店等公共の静かな場所では着信を受けたくないので、位置登録やページング受信を制限することが可能となる。
【００５６】
上述した各実施の形態における動作は、予めその動作手順をプログラムとして記録媒体に格納しておき、これをコンピュータに読み取らせて実行させるように構成できることは明らかである。
【符号の説明】
【００５７】
１００  移動局
１０１，１１１，１２１  通信網
１０２，１１２  無線基地局
１０３，１１３  交換局
１０４，１１４  加入者情報蓄積装置
１０５，１１５  ゲートウェイ
１１６  制御局
【図１】
0005370603.tif 000002
【図２】
0005370603.tif 000003
【図３】
0005370603.tif 000004
【図４】
0005370603.tif 000005
【図５】
0005370603.tif 000006
【図６】
0005370603.tif 000007
【図７】
0005370603.tif 000008
【図８】
0005370603.tif 000009